(57)【要約】【課題】ウエブ耳部に塗布される塗布液の厚みの不安定さを効果的に抑制することのできる塗布方法を提供する。【解決手段】  スロットダイのポケット部２６の一方端から他方端に向けてサイド給液した塗布液を、スロットダイのスリット１２から吐出し、スリット先端と走行するウエブ１６との間のクリアランスに形成した塗布液架橋を介してウエブ１６に塗布液を塗布する塗布装置において、ポケット部２６の両端部にポケット栓２８ａ、２８ｂが挿設されると共に、ポケット栓２８ａ、２８ｂの塗布液と接液する側の端面が他方端側に傾斜したテーパを有する縦向きな円弧形状に形成されている。【選択図】  図３
2009045513.tif 000002
【特許請求の範囲】
【請求項１】
スロットダイのポケット部の一方端から他方端に向けてサイド給液した塗布液を、該スロットダイのスリットから吐出し、スリット先端と走行するウエブとの間のクリアランスに形成した塗布液架橋を介して前記ウエブに塗布液を塗布する塗布方法において、
前記ポケット部の前記一方端と前記他方端との端面形状を、前記他方端側に傾斜したテーパを有すると共に曲率半径Ｒが４５〜９０ｍｍの縦向きな円弧形状に形成することにより、前記ウエブの中央部に塗布される塗布液の厚みを１としたとき、前記ウエブの端部に塗布される塗布液の厚みが０．９４未満の薄膜にならないように塗布することを特徴とする塗布方法。
【請求項２】
前記ポケット部の前記一方端と前記他方端との端面形状を、前記ポケット部の両端部に挿設するポケット栓の塗布液が接液する側の端面に形成することを特徴とする請求項１の塗布方法。
【請求項３】
スロットダイのポケット部の一方端から他方端に向けてサイド給液した塗布液を、該スロットダイのスリットから吐出し、スリット先端と走行するウエブとの間のクリアランスに形成した塗布液架橋を介して前記ウエブに塗布液を塗布する塗布装置において、
前記ポケット部の両端部にポケット栓が挿設されると共に、該ポケット栓の前記塗布液と接液する側の端面が前記他方端側に傾斜したテーパを有する縦向きな円弧形状に形成されていることを特徴とする塗布装置。
【請求項４】
前記円弧形状の曲率半径Ｒは、４５〜９０ｍｍの範囲内であって、円弧形状の上端線と下端線とが前記テーパの上端線と下端線と一致することを特徴とする請求項３の塗布装置。
【請求項５】
前記クリアランスをＤ（μｍ）とし、前記ウエブに塗布される塗布液の湿潤膜厚をｔ（μｍ）としたときに、ｔ／Ｄ＜０．１１であることを特徴とする請求項３又は４の塗布装置。
【請求項６】
請求項３〜５の塗布装置を用いて、ウエブに塗布液を塗布した塗布膜製品を製造することを特徴とする塗布膜製品の製造方法。
【請求項７】
前記塗布膜製品は液晶表示装置に用いる光学フィルムであることを特徴とする請求項６の塗布膜製品の製造方法。
【発明の詳細な説明】
【技術分野】
【０００１】
本発明は、スロットダイのポケット部の一方端から他方端に向けてサイド給液した塗布液を、該スロットダイのスリットから吐出し、スリット先端と走行するウエブとの間のクリアランスに形成した塗布液架橋を介してウエブに塗布液を塗布する塗布方法及び塗布装置並びに塗布膜製品の製造方法において、ウエブ耳部の故障を減らし、製品ロスを解消するための改良に関する。
【背景技術】
【０００２】
ウエブに写真感光液、磁性液、溶剤塗料など水や溶剤を溶媒とする塗布液を塗布する塗布方法には、塗布ヘッド内のポケット部に送液した塗布液を、ポケット部に連通するスリットを介して外部に押し出し、走行するウエブに塗布するスロットダイが多用されている。スリットダイの両端部には液漏れを防止するため、ポケット部を塞ぐポケット栓、又は、開口を閉じる側板を設け、塗布液をスリットに流し込んでいる。
【０００３】
しかし、このポケット栓又は側板によって、エッジ部は影響を受けてウエブ幅方向の端部（耳部）の塗布膜の厚みが不安定になるという欠点があった。特に、液晶表示装置に用いる光学フィルム（例えば光学補償フィルム、反射防止フィルム等）のように塗布液を走行するウエブに湿潤膜厚が１０μｍ以下の超薄膜で高速塗布する場合には、ウエブ端部の塗布膜厚が中央部よりも薄くなり、ウエブ端部の膜厚が不安定になり、塗布欠陥が生じ易い。そこで、ウエブ幅方向の端部の塗布膜の厚みが不安定という欠点を解消するために、特許文献１では、スリット吐出口に近いほどポケット部の幅寸法が広がるようにテーパ部を形成することが開示されている。そして、特許文献２では、側板を撥水性の材料とするか、撥水性の材料にて被覆した構成とすることが開示されている。また、特許文献３では、ウエブ上流側を減圧チャンバーで減圧しながら塗布液を塗布するとともに、減圧チャンバーのウエブ幅方向の外幅をＡ（ｍｍ）とし、スロットの吐出幅をＢ（ｍｍ）としたときに、外幅Ａの中心と吐出幅Ｂの中心を一致させた状態で、Ｂ≦Ａ≦Ｂ＋５０（ｍｍ）を満たすようにすることが開示されている。
【特許文献１】特開２００３−７１３５７号公報
【特許文献２】特開２００５−１５２８８５号公報
【特許文献３】特開２００６−９５４５６号公報
【発明の開示】
【発明が解決しようとする課題】
【０００４】
しかしながら、スロットダイでの塗布は、特許文献１〜３の方法においても、ウエブ耳部に塗布される塗布液の厚みの不安定さによって引き起こる耳部の故障を抑制することはできないという欠点がある。特に、塗布液が低粘度である場合には、耳部の厚みがふらついたり、耳切れ故障が発現したりすることで、塗布故障が生じ、製品得率が低下してしまうという欠点がある。
【０００５】
本発明は、このような事情に鑑みてなされたもので、ウエブ耳部に塗布される塗布液の厚みの不安定さを効果的に抑制することのできる塗布方法及び塗布装置並びに塗布膜製品の製造方法を提供することを目的とする。
【課題を解決するための手段】
【０００６】
請求項１に記載の発明は、前記目的を達成するために、スロットダイのポケット部の一方端から他方端に向けてサイド給液した塗布液を、該スロットダイのスリットから吐出し、スリット先端と走行するウエブとの間のクリアランスに形成した塗布液架橋を介して前記ウエブに塗布液を塗布する塗布方法において、前記ポケット部の前記一方端と前記他方端との端面形状を、前記他方端側に傾斜したテーパを有すると共に曲率半径Ｒが４５〜９０ｍｍの縦向きな円弧形状に形成することにより、前記ウエブの中央部に塗布される塗布液の厚みを１としたとき、前記ウエブの端部に塗布される塗布液の厚みが０．９４未満の薄膜にならないように塗布することを特徴とする。
【０００７】
請求項１によれば、ポケット部の一方端（供給液側）と他方端（反供給液側）との端面形状を、他方端側に傾斜したテーパを有すると共に曲率半径Ｒが４５〜９０ｍｍの縦向きな円弧形状に形成し、ポケット部の一方端から塗布液をサイド給液するようにした。これにより、塗布液の流れが滞留し易いポケット部の一方端と他方端において、塗布液がテーパを有する円弧形状に沿ってスムーズにスリット方向に方向転換し、スリット先端から吐出される。この結果、ウエブの中央部に塗布される塗布液の厚みを１としたとき、前記ウエブの端部（耳部とも言う）に塗布される塗布液の厚みが０．９４未満の薄膜にならないように塗布することができるので、塗布液架橋（ビードともいう）の両端部であるビード耳部が安定化し、安定した連続塗布を行うことができる。
【０００８】
ここで、ポケット部の一方端と他方端との端面形状を、他方端側に傾斜したテーパを有するとは、ポケット部の一方端から他方端をみたときに、一方端側ではスリット方向のポケット径が大きくなるように傾斜したテーパを有し、ポケットの他方端側ではスリット方向のポケット径が小さくなるように傾斜したテーパを有することを言い、以下同様である。また、縦向きな円弧形状とは、円弧の方向がポケット部の横に向いているのではなく、下から上に向いていることをいい、以下同様である。
【０００９】
請求項２に記載の発明は、請求項１において、前記ポケット部の前記一方端と前記他方端との端面形状を、前記ポケット部の両端部に挿設するポケット栓の塗布液が接液する側の端面に形成することを特徴とする。
【００１０】
請求項２によれば、ポケット部の一方端と他方端との端面形状を、ポケット部の両端部に挿設するポケット栓の端面に形成するようにしたので、端面形状を容易に形成することができる。
【００１１】
請求項３に記載の発明は、前記目的を達成するために、スロットダイのポケット部の一方端から他方端に向けてサイド給液した塗布液を、該スロットダイのスリットから吐出し、スリット先端と走行するウエブとの間のクリアランスに形成した塗布液架橋を介して前記ウエブに塗布液を塗布する塗布装置において、前記ポケット部の両端部にポケット栓が挿設されると共に、該ポケット栓の前記塗布液と接液する側の端面が前記他方端側に傾斜したテーパを有する縦向きな円弧形状に形成されていることを特徴とする。
【００１２】
請求項３によれば、ポケット部の両端部に挿設されたポケット栓の塗布液と接液する側の端面が他方端側に傾斜したテーパを有する縦向きな円弧形状に形成されているので、塗布液の流れが滞留し易いポケット部の一方端と他方端において、塗布液が円弧形状に沿ってスムーズにスリット方向に方向転換し、スリット先端から吐出される。これにより、ウエブの中央部に塗布される塗布液の厚みを１としたとき、ウエブの端部に塗布される塗布液の厚みが０．９４未満の薄膜にならないように塗布することができる。この結果、スリット先端と走行するウエブとの間のクリアランスに形成する塗布液架橋両端部のビード耳部を安定化することができるので、ウエブ耳部における塗布液の塗布厚みがフラツイたり、塗布液が塗布されない耳切れ現象を起こすことがなく、安定塗布を行うことができる。
【００１３】
請求項４に記載の発明は、請求項３において、前記円弧形状の曲率半径Ｒは、４５〜９０ｍｍの範囲内であって、円弧形状の上端線と下端線とが前記テーパの上端線と下端線と一致することを特徴とする。
【００１４】
請求項４は、ポケット栓の端面に形成する円弧形状の好ましい曲率半径Ｒを規定したものであり、４５〜９０ｍｍの範囲内とすることが好ましい。この場合、円弧形状の上端線と下端線とがテーパの上端線と下端線と一致するように形成することが好ましい。
【００１５】
請求項５に記載の発明は、請求項３又は４の何れか１において、前記クリアランスをＤ（μｍ）とし、前記ウエブに塗布される塗布液の湿潤膜厚をｔ（μｍ）としたときに、ｔ／Ｄ＜０．１１であることを特徴とする。
【００１６】
ｔ／Ｄを大きくして塗布した方がビード耳部を安定化でき、安定した連続塗布を行うことができるが、ウエブに塗布される塗布膜面が滑らかにならず面質が悪くなる。逆に、塗布膜面の面質を良くするには、ｔ／Ｄを小さくする必要があり、ビード耳部が不安点になり易い。しかし、上記したポケット栓を有する本発明の塗布装置を用いることで、ｔ／Ｄ＜０．１１の小さい場合であっても、ビード耳部を安定化でき、連続した安定塗布が可能となる。
【００１７】
請求項６に記載の発明は、請求項３〜５の塗布装置を用いて、ウエブに塗布液を塗布した塗布膜製品を製造することを特徴とする塗布膜製品の製造方法であり、請求項７に記載の発明は、前記塗布膜製品は液晶表示装置に用いる光学フィルムであることを特徴とする請求項６の塗布膜製品の製造方法である。
【００１８】
本発明の塗布装置を用いて製造した塗布膜製品は、ウエブ端部でも塗布故障が少ないので、光学フィルムの製造に好適である。
【発明の効果】
【００１９】
以上説明したように、本発明の塗布方法及び塗布装置によれば、スロットダイの塗布において、ウエブ耳部に塗布される塗布液の厚みの不安定さを効果的に抑制することができる。従って、本発明の塗布装置を用いて製造した塗布膜製品は、ウエブ端部でも塗布故障が少ないので、光学フィルムの製造に好適である。
【発明を実施するための最良の形態】
【００２０】
以下添付図面に従って本発明に係る塗布方法及び塗布装置並びに塗布膜製品の製造方法の好ましい実施の形態について詳説する。
【００２１】
図１は本発明に係る塗布装置１０であって、塗布ヘッド１４の上流側と下流側にウエブ１６を塗布ヘッド側に押し付ける押圧ローラ１８，１８を配設した場合の側面断面図である。そして、図２は本発明に係る塗布装置１０’の別の態様であって、塗布ヘッド１４’先端に対向させてウエブ１６’を係合支持するコーティングローラ１１を配設した場合の側面図である。また、図３及び図４は、本発明の要部を説明する説明図である。
【００２２】
図１の塗布装置１０は、主として、塗布液をスリット１２を介してスリット吐出口１２Ａから吐出する塗布ヘッド１４と、矢印方向に連続走行するウエブ１６を塗布ヘッド１４の先端部に押圧状態で近接させる一対の押圧ローラ１８、１８とで構成される。
【００２３】
塗布ヘッド１４は、第２エッジ部２０と第１エッジ部２２とから成る２つのブロックで構成され、第２エッジ部２０は、スリット１２を境にしてウエブ走行方向の下流側に、第１エッジ部２２は上流側に位置し、第２エッジ部２０と第１エッジ部２２のエッジ面２４が連続走行するウエブ１６と近接された状態で対向配置される。塗布ヘッド１４の内部には、ウエブ１６の幅方向に沿って筒状のポケット部２６が形成され、前記スリット１２に連通される。そして、ポケット部２６に供給された塗布液は、塗布幅に対応する幅に拡流された後、スリット１２を上昇してエッジ面２４から吐出され、ウエブ１６に塗布される。これにより、ウエブ１６面に塗布液膜が形成される。
【００２４】
一方、図２の塗布装置１０’は、主として、塗布液をスリット１２’を介してスリット吐出口１２Ａ’から吐出する塗布ヘッド１４’と、該塗布ヘッド１４’先端の近傍位置に対向配置されて、矢印方向に連続走行するウエブ１６’を係合支持するコーティングローラ１１とで構成され、塗布ヘッド１４’が移動台１３に搭載されている。
【００２５】
塗布ヘッド１４’は、第２エッジ部２０’と第１エッジ部２２’とから成る２つのブロックで構成され、その内部にウエブ１６’に幅方向に平行な筒状のポケト部２６’が形成されると共に、ポケット部２６’に連通して塗布ヘッド１４’先端のリップ先端１５に至るスリット１２’が形成される。そして、ポケット部２６’に供給された塗布液は、塗布幅に対応する幅に拡流された後、スリット１２’を上昇してリップ先端１５のスリット吐出口１２Ａ’から吐出され、ウエブ１６’に塗布される。これにより、ウエブ１６’面に塗布液膜が形成される。
【００２６】
そして、本発明では、図３（Ａ）に示すように、ポケット部２６の一方端から他方端に向けて塗布液がサイド供給されている。
【００２７】
図３（Ａ）、（Ｂ）は、図１及び図２の塗布装置１０、１０’ともに共通なので、図１の例で説明する。尚、図３（Ｂ）は、図３（Ａ）の塗布装置１０要部の断面図である。図３（Ａ）に示すように、ポケット部２６の貫通した両端開口部にはポケット栓２８ａ、２８ｂが設けられる。そして、一方のポケット栓２８ａに塗布液をサイド供給するための給液口２９を設け、この給液口２９に給液管３０を接続することによりポケット部２６に塗布液を供給する。尚、給液管３０に塗布液を送液する送液ラインは、ポケット部２６に塗布液を連続的に且つ一定の液量で送液可能なものであればよい。
【００２８】
スリット１２は、ポケット部２６とエッジ面２４とを繋ぐ狭隘な流路であり、ウエブ幅方向に延設される。また、ウエブ１６に塗布される塗布幅規制は、一対の塗布幅規制板３２、３２をスリット１２の両端に挿入することにより行われる。スリット１２のスリット吐出口１２Ａ方向への流路長さは、塗布液の液組成、物性、供給流量、供給液圧等の塗布条件を考慮して適宜設定される。
【００２９】
本発明は、スロットダイのポケット部の一方端から他方端に向けてサイド給液した塗布液を、該スロットダイのスリットから吐出し、スリット先端と走行するウエブとの間のクリアランスに形成した塗布液架橋を介してウエブに塗布液を塗布する塗布装置を前提とした場合のウエブ耳部（端部）に塗布される塗布液の厚みの不安定さを抑制することを課題とするものであり、本発明によれば、図３（Ａ）、（Ｂ）及び図４に示すように、ポケット部２６の両端部にポケット栓２８ａ、２８ｂが挿設されると共に、ポケット部２６の塗布液と接液する側の端面が他方端側に傾斜したテーパ３１を有する縦向きな円弧形状３３に形成されているスロットダイを用いてウエブ１６に塗布する。
【００３０】
従って、ポケット部２６の両端部に挿設されたポケット栓２８ａ、２８ｂの塗布液と接液する側の端面が他方端側に傾斜したテーパ３１を有する縦向きな円弧形状３３に形成されているので、塗布液の流れが滞留し易いポケット部の一方端と他方端において、塗布液が円弧形状に沿ってスムーズにスリット方向に方向転換し、スリット先端から吐出される。これにより、ウエブの中央部に塗布される塗布液の厚みを１としたとき、ウエブの端部に塗布される塗布液の厚みが０．９４未満の薄膜にならないように塗布することができる。この結果、スリット先端と走行するウエブとの間のクリアランスに形成する塗布液架橋両端部のビード耳部を安定化することができるので、ウエブ耳部における塗布液の塗布厚みがフラツイたり、塗布液が塗布されない耳切れ現象を起こすことがなく、安定塗布を行うことができる。
【００３１】
尚、ここで、ポケット部の一方端と他方端との端面形状を、他方端側に傾斜したテーパを有するとは、ポケット部２６の一方端から他方端をみたときに、一方端側（図４参照）ではスリット方向のポケット径が大きくなるように傾斜したテーパ３１を有し、ポケットの他方端側（図示省略）ではスリット方向のポッケット径が小さくなるように傾斜したテーパを有することを言う。また、縦向きな円弧形状３３とは、円弧の方向がポケット部の横に向いているのではなく、図４に示すように下から上に向いていることを言う。
【００３２】
そして、円弧状のポケット栓２８ａ、２８ｂは、供給側のポケット栓２８ａはスリット１２に向かって幅寸法が大きくなるテーパ形状であるとともにポケット部２６に凸の円弧の部材であり、反供給側のポケット栓２８ｂは、スリット１２に向かって幅寸法が小さくなるテーパ形状であるとともにポケット部２６に凹の円弧の部材である。
【００３３】
また、円弧形状の曲率半径Ｒは、４５〜９０ｍｍの範囲内であって、円弧形状の上端線と下端線とが前記テーパの上端線と下端線と一致することが好ましい（図４参照）。ポケット栓の端面に形成する円弧形状の好ましい曲率半径Ｒを規定したものであり、４５〜９０ｍｍの範囲内とし、円弧形状の上端線と下端線とがテーパの上端線と下端線と一致するように形成することで、更にウエブ耳部に塗布される塗布液の厚みの不安定さを抑制することができる。
【００３４】
更に、スリット１２先端部とウエブ１６とのクリアランスをＤ、ウエブ１６に塗布される塗布液の厚みをｔとしたとき、ｔ／Ｄ＜０．１１であることが好ましい。ｔ／Ｄを大きくして塗布した方がビード耳部を安定化でき、安定した連続塗布を行うことができるが、ウエブに塗布される塗布膜面が滑らかにならず面質が悪くなる。逆に、塗布膜面の面質を良くするには、ｔ／Ｄを小さくする必要があり、ビード耳部が不安点になり易い。しかし、上記したポケット栓を有する本発明の塗布装置を用いることで、ｔ／Ｄ＜０．１１の小さい場合であっても、ビード耳部を安定化でき、連続した安定塗布が可能となる。
【００３５】
図１の塗布装置１０の場合、塗布ヘッド１４のポケット部２６に供給された塗布液は、ポケット部２６でウエブ幅方向に拡流された後、スリット１２を上昇してスリット吐出口１２Ａから吐出される。吐出された塗布液は、押圧ローラ１８により塗布ヘッド１４側に押圧されて連続走行するウエブ１６とエッジ面２４との間で一種のビードを形成しながらウエブ１６に塗布される。即ち、スリット先端部から吐出した塗布液の吐出力とウエブ１６が塗布ヘッド先端を押圧する押圧力がバランスした状態で塗布液がウエブ１６に塗布される。図２の塗布装置１０’の場合にも略同様であるが、スリット１２’を上昇してリップ先端１５から吐出した塗布液は、コーティングローラ１１に係合支持されて連続走行するウエブ１６’とリップ先端１５との間で一種のビードを形成しながらウエブ１６’に塗布される。このとき、上述した本発明の塗布方法によって、ウエブ耳部のビードを安定にすることができるので、ウエブ耳部に塗布される塗布液の厚みの不安定さを抑制することができ、製品ロスの少ない塗布方法を提供することができる。尚、本発明は、塗布幅がいかなる場合においても有効である。
【００３６】
そして、本実施形態は、ポケット部２６の両端部に挿設するポケット栓２８ａ、２８ｂの例で説明したが、ポケット部２６の端面形状において塗布液と接液する側の端面が他方端側に傾斜したテーパを有する縦向きな円弧形状に形成されていれば、ウエブの中央部に塗布される塗布液の厚みを１としたとき、ウエブの耳部に塗布される塗布液の厚みが０．９４未満の薄膜にならないように塗布することができるので、塗布液架橋の両端部であるビード耳部が安定化し、安定した連続塗布を行うことができる。
【００３７】
また、本実施形態において、筒状のポケット部２６の断面形状が台形形状のものを示しているが、台形形状に限られるものでなく丸や五角形の形状であってもよい。
【００３８】
本発明で使用するウエブ１６としては、一般に、その幅が３００〜２０００ｍｍ、長さが４５〜１００００ｍ、厚さが２〜２００μｍのポリエチレンテレフタレート（ＰＥＴ）、ポリエチレン−2,6 −ナフタレート、セルロースダイアセテート、セルローストリアセテート、セルロースアセテートプロピオネート、ポリ塩化ビニル、ポリ塩化ビニリデン、ポリカーボネート、ポリイミド、ポリアミド等のプラスチックフィルム、紙、ポリエチレン、ポリプロピレン、エチレンブテン共重合体等の炭素数が２〜１０のα−ポリオレフィン類を塗布又はラミネートした紙等からなる可撓性帯状物あるいは該帯状物を基材としてその表面に加工層を形成した帯状物が含まれる。
【００３９】
また、塗布液としては、光学フィルムや磁気テープの塗布液のような非ニュートン流体にかぎらず、写真感光層の比較的低粘度のゼラチン溶液をバインダとしてなるようなニュートン流体であってもよい。塗布液の粘度としては、０．８〜１０ｃｐ（０．８〜１０ｍＰａ・ｓ）の範囲が好ましく採用できる。
【実施例】
【００４０】
次に、図１に示す塗布装置による本発明に係るスロットダイ（実施例）と、従来のスロットダイ（比較例）とについて、ウエブ端部の塗布耳フラツキ及び耳ギレ故障の有無を試験した試験結果を説明する。尚、ここで、「塗布耳フラツキ」とは、耳部ビードが架橋しており破断はしていないが、耳位置が長手方向でふらつく状態をいい、「耳キレ故障」とは、耳部ビードが架橋せず、ビードが破断する状態をいう。
【００４１】
塗布ヘッドは、塗布幅が１５００ｍｍになるようにスリット幅が形成されると共に、ポケット部の一端から塗布液をサイド供給するものを用い、ポケット部の端部には以下の表１及び表２に示す形状のポケット栓２８ａ、２８ｂを設けた。尚、本試験においては、給液側のポケット栓２８ａの形状の効果と、反給液側のポケット栓２８ｂの形状の効果を別々に評価した。尚、評価の耳耐性は、耳フラツキ／耳キレなく、耳部塗布液厚みが０．９６より大きい状態を◎、耳フラツキ／耳キレなく、耳部塗布液厚みが０．９４以上０．９６以下の状態を○、耳キレはないが、耳フラツキが発生している状態を△、耳キレが発生している状態を×、と記載している。
【００４２】
塗布する際のライン速度を５０ｍ／分とした。実験で使用した塗布液は、ディスコティック化合物ＴＥ−８のＲ（１）とＲ（２）の重合比率４：１の混合物に、光重合開始剤（商品名；イルガキュア９０７、日本チバガイギー(株)製）を３重量％添加した混合物を３０重量％メチルエチルケトン溶液とした、液晶性化合物を含む溶液を用いた。
【００４３】
【化１】
2009045513.tif 000003
【００４４】
尚、塗布液の液密度は０．８９９０ｇ／ｍｌ、液粘度は１．９ｍＰａ・ｓ、表面張力は２２ｍＮ／ｍであった。
【００４５】
【表１】
2009045513.tif 000004
【００４６】
【表２】
2009045513.tif 000005
【００４７】
また、図５は、表２の反給液側のポケット栓２８ｂの評価において、クリアランスＤが７０μｍのときのウエブ端部からの塗膜の厚みの比較である。尚、図中のＡｖｅ．膜厚は、ウエブ中央部の平均膜厚を示している。
【００４８】
表１及び表２から分かるように、ポケット栓の塗布液と接液する側の端面が他方端側に傾斜したテーパを有する縦向きな円弧形状に形成されているスロットダイを用いてウエブに塗布した実施例１−１〜３及び実施例２−１〜３は、耳耐性の評価が○以上であった。
【００４９】
また、表２及び図５から分かるように、ウエブの中央部の塗布液の厚みを１としたとき、ウエブの端部の塗布液の厚みが０．９４未満の薄膜にならないように塗布することができるので、耳耐性の評価の良い光学フィルムを提供することができることが分かる。
【図面の簡単な説明】
【００５０】
【図１】本発明に係る塗布装置の側面断面図
【図２】本発明に係る塗布装置の別の態様を示す側面断面図
【図３】本発明に係る塗布装置の要部を説明する説明図
【図４】本発明に係る塗布装置の要部のテーパを有する縦向きな円弧形状を説明する説明図
【図５】実施例における反供給側ポケット栓の違いによる塗膜分布を示すグラフ
【符号の説明】
【００５１】
１０、１０’…塗布装置、１２、１２’…スリット、１４、１４’…塗布ヘッド、１６、１６’…ウエブ、１８…押圧ローラ、２４…エッジ面、２６、２６’…ポケット部、２８ａ、２８ｂ…ポケット栓、３０…給液管、３１…テーパ、３２…塗布幅規制板、３３…円弧形状
【図１】
2009045513.tif 000006
【図２】
2009045513.tif 000007
【図３】
2009045513.tif 000008
【図４】
2009045513.tif 000009
【図５】
2009045513.tif 000010